(57)【要約】      （修正有）【課題】電気床暖房と、人体にとって極めて有効な電位治療器を電気的安全、使用上の安全を取り入れて組み合わせることにより、冬季にしか利用できなかった電気床暖房を、必要に応じて一年を通して利用でき、しかも設備にあたって費用が増大することがない経済的な電位治療機能付き電気床暖房装置を提供しようとするものである。【解決手段】温度調節器に負電位発生器を組み込んでスイッチの切りかえで、電気床暖房としても電位治療器としても使用できる電位治療機能付き床暖房装置において、負電位出力時には上記均熱板を電床板として機能させ、床暖房用発熱動作時および温度調節器の不使用時には、均熱板を接地接続して、電位治療機能時に負電位発生器に必要な接地電極を発熱動作時および不使用時に切り離す構造にすることにより、負電位出力動作が確実に行われ、且つ電気的に安全でしかも商用電源ラインとの絶縁抵抗が不使用時に低下することが無いようにした。【選択図】    図６
2004183936.tif 000002
【特許請求の範囲】
【請求項１】
熱伝導性が良好で且つ電気伝導が良いアルミ箔等の均熱板と、両側に電極線を配した織布にカーボン塗料を塗布してなるカーボン面状発熱体や、上記均熱板に蛇行配線してなるコードヒーター等の電気ヒーターと、発泡ウレタン板等断熱板とを順次積層組み立てしてなる電気床暖房パネルと、該電気床暖房パネルへの供給電気量を調整して発熱温度を調節する温度調節器とからなり、該温度調節器に負電位発生器を組み込んでスイッチの切りかえで、電気床暖房としても電位治療器としても使用できる電位治療機能付き床暖房装置において、負電位出力時には上記均熱板を電床板として機能させ、床暖房用発熱動作時および温度調節器の不使用時には、均熱板を接地接続して、電位治療機能時に負電位発生器に必要な接地電極を発熱動作時および不使用時に切り離す構造にすることにより、負電位出力動作が確実に行われ、且つ電気的に安全でしかも商用電源ラインとの絶縁抵抗が不使用時に低下することが無いことを特徴とする電位治療機能付き床暖房装置。
【請求項２】
電位治療機能時の負電位出力を、波形が顕著な脈流方式にしたことを特徴とする請求項１記載の電位治療機能付き電気床暖房装置。
【発明の詳細な説明】
【０００１】
【産業上の利用分野】
本発明は電位治療器を備えた電気床暖房装置に関するものである。
【０００２】
【従来の技術】
従来電気床暖房装置は、電気ヒーターを床パネルに内装して、温度調節器により電気の供給量を調節することにより床面の温度を２０℃〜３０℃に保ち暖を取るものであった。この床暖房装置は頭寒足熱、また、衛生上の観点からエアコン、ファンヒーターのように空気を暖め循環させることなく、埃を立たせない、さらに体感上、室温が１８℃であっても対流暖房の２８℃に匹敵する暖かさを有して経済的であることから急速に普及しつつある。また、電位治療器は、一般的に肩凝りや、頭痛、不眠症、慢性便秘等に対して治癒効果があるといわれ、この効能原理は、前記疾患を有する患者を負電位におくと、循環血液中のナトリウム及びカルシウムのイオン化が増加し、これにより酸性化している人体をアルカリ化させ体調を活性化させるものである。
【０００３】
【発明が解決しようとする課題】
この発明は、かずかずの利点を有する電気床暖房と、人体にとって極めて有効な電位治療器を電気的安全、使用上の安全を取り入れて組み合わせることにより、冬季にしか利用できなかった電気床暖房を、必要に応じて一年を通して利用でき、しかも設備にあたって費用が増大することがない経済的な電位治療機能付き電気床暖房装置を提供しようとするものである。
【０００４】
【課題を解決するための手段】
この目的を達成するために、本発明電位治療機能付き電気床暖房装置は、負電位発生器を電気床暖房装置の温度調節器に組み込んで、スイッチの切り替えで電気床暖房パネルを電位治療器としての治療導子電床板として、また床暖房のヒーターとして使用しようとするものである。
【０００５】
即ち、電気床暖房パネルは、均熱の目的と、漏電等に対して電気的安全の目的で接地させたアルミ箔等の均熱板が電気ヒーターとともに組み込まれているが、電位治療器として使用のさいは、接地したこの均熱板が電位発生を遮断してしまい機能を妨げてしまう。そこでスイッチ操作によりヒーター使用の際および不使用時は接地接続させ、電位治療使用の際は接地接続を切り離して負電位発生回路と接続することにより、電気的安全機能を損なうことなく、効率のよい電位治療が行え、しかも電位発生に必要な整流回路の接地電極を上記スイッチに連動して開路することにより、商用電源ラインとの絶縁抵抗を低下させることが無く、均熱板に負電位発生機能を付加させうる電床板として機能させる。
【０００６】
また、電位治療に当たっては、電気絶縁性能を必要とするが、発泡ウレタンのごとき断熱性能がよく、しかも電気絶縁性もよい断熱板を用いることと、熱伝導性能は劣るが電気絶縁性能を有する一定厚さの木質フローリング等の表面板を均熱板に張ることにより、床暖房機能と電位治療機能の併用を可能にするものである。
【０００７】
【実施例】
図１ないし図３は本発明の電気床暖房パネルＡの一実施例を示し、図４は電気床暖房パネルＡを設置した状態を示す。本発明の一実施例を図１ないし図４に基づいて説明すると、図において１は表面板であり、これはスライスした木質化粧板２を合板３の表面に貼り合わせ、短辺の一側および長辺の一側に雄実４を形成し、短辺の他側および長辺の他側に雌実５を形成した４ｍｍ〜７ｍｍ厚みの木質フローリングが用いられている。この表面板１の裏面には周縁部に８ｍｍから５ｍｍ厚みの桟木６が形成されるとともに、桟木６内に熱伝導性能が良好で且つ電気伝導が良いアルミ箔等の均熱板７が貼り合わされている。
【０００８】
８は、サーモスタット９…、サーモヒューズ１０…が配線された電気ヒーターであり、１１は発泡ウレタン板等の断熱板、１２は厚紙等裏板である。これら表面板１、均熱板７、電気ヒーター８、断熱板１１は順次積層組み立てされて電気床暖房パネルＡが構成されている。
【０００９】
電気ヒーター８は、図３に示されるように、両側に電極線１３、１３を織り込んだ織布にカーボン塗料を塗布し、表裏面に塩化ビニール樹脂フィルム等電気絶縁フィルムを貼り合わせてなるカーボン面状発熱体１４の一方の電極線１３にリード線１５を電極端子１６を介して接続し、他方の電極線１３に、サーモスタット９…、サーモヒューズ１０…を接続したリード線１５を同様に電極端子１６を介して接続して構成されている。断熱板１１はウレタン樹脂を桟木６、電気ヒーター８、裏板１２に囲まれた空間に、発泡注入され断熱とともに防水絶縁の性能も兼ねている。
【００１０】
図４における１７は、床面に施工設置された電気床暖房パネルＡに供給電気量を調節して発熱温度を調節する温度調節器である。この温度調節器１７は電気床暖房パネルＡの電源配線に接続され、部屋の壁面等に設置されている。
【００１１】
図５ないし図６はこの温度調節器１７の一実施例を説明する図である。図５は温度調節器１７の表面操作盤で、ＬＣＤ１８には図示しない温度調節バーコード、タイマーのための時間表示等運転状況が表示される。押しボタンスイッチ１９…は電源スイッチ、予約運転時のタイマースイッチ、温度を室温に応じて自動で適温に保つ自動運転スイッチ、発熱温度を希望の温度に設定する温度設定スイッチ、ＬＣＤ１８への表示を温度または時刻に任意に切り替えることのできる表示切替スイッチ、時刻を合わせるための時分スイッチが設けられている。
【００１２】
また、スライドスイッチは床暖房温熱として使用のヒーター、電位治療として使用のイオン、ヒーターとイオンが交互に運転できるヒーター／イオンを任意切り替えできる切り替えスイッチ２０およびタイマー運転の時間合わせ、時刻が狂ったときの時間合わせのスイッチ２１が設けられている。
【００１３】
図６は、この温度調節器１７の電気回路をブロック図で説明するもので、負電位発生回路とヒーター制御部とを有し、これらを交互に運転する回路をマイコンに組み込んで、切り替えスイッチ２０の切り替えで任意に運転できるものである。
【００１４】
負電位発生回路に切り替えスイッチが切り替えられたときは、均熱板７に接続する接地の回路は開路となる。床暖温熱と電位の交互とは、温熱時に温度制御により通電が止まっている時、電位発生回路が生きて図７に示されるように温熱と電位が交互に運転される。
【００１５】
図８は負電位発生を説明するための回路図で、切り替えスイッチ２０により作動するリレー１（２５）に因り均熱板への接続を負電位発生時、即ち電位治療機能時にはダイオードブリッジに抵抗Ｒｏ，ＲＬを介して切り替えられ、ヒーター発熱時および不使用時には接地側に切り替えられる。
【００１６】
リレー２（２６）はリレー１（２５）に連動し動作して電位治療機能時にはダイオードブリッジに抵抗ＲＥを介して接地接続される回路は閉路し、ヒーター発熱時および不使用時には接地接続が開放される。このリレー２（２６）によるスイッチ切り替えによって負電位発生回路は正常に動作するとともに、ヒーター発熱時および不使用時に商用電源ラインの絶縁抵抗を低下させることがない。
【００１７】
図９は図８の負電位発生回路で発生される負電位波形を説明する波形図である。商用電源ラインからのＡＣ２００Ｖ電源はａのごとく正弦波形であるがダイオードブリッジを介すことにより正電位側の半波をカットしてｂのごとく負電位側の半波を負電位出力として整流する。このように負電位を半波とすれば、床暖施工完了時に負電位印加の検証を行うとき検波器を応用した非接触型検出器で検証が可能となり便利である。
【００１８】
なお上記一実施例においては、電気ヒーターにカーボン面状発熱体を使用した例にて説明したが、この電気ヒーターは、図１０に示すようにアルミ箔２２にコードヒーター２３を蛇行配線して熱融着してなる電気ヒーター２４を用いても実施可能である。ただし電気ヒーターにカーボン面状発熱体を用いることにより、ヒーター使用の際は、熱の立ち上がりがコードヒーターに比して早い特徴を有する電位機能付き床暖房装置が得られるが、本発明はこれに限定されるものではない。
【００１９】
【発明の効果】
以上実施例で説明したように、本発明の電位治療機能付き床暖房装置によれば、床暖房パネルそのものが電位治療器の治療導子電床板として使用できる。したがって、冬季は暖房器として、夏期は電位治療器として利用でき一年を通して活用できる。また、暖房使用のときは均熱板は接地され、電位治療として使用のときは接地回路が開放されるように構成され、しかも、電位発生回路に必要な接地電極は暖房運転時ならびに不使用時に開放されることから、電気的安全は保たれ、電位治療効果も損なうことがないとともに、商用電源ラインとの絶縁抵抗を低下させることがない。
【００２０】
また、電位を脈流波形にすることにより、床に組み込まれた電床板の電位発生を検波器を応用した非接触検出器で電位発生の検証ができる。さらに、床暖房に必要な温度調節器に電位発生器を組み込むだけであるから価格も安価となり経済的である。
【図面の簡単な説明】
【図１】電気床暖房パネルの断面図。
【図２】電気床暖房パネルの斜視図
【図３】電気ヒーターの組み立て図
【図４】床暖房装置の設置状態図
【図５】温度調節器の正面図
【図６】電位治療機能付き温度調節器を説明するためのブロック図
【図７】温熱と電位の交互運転説明図
【図８】負電位発生を説明するための回路図
【図９】電源波形図で、ａは商用電源波形図，ｂは電位発生の波形図
【図１０】コードヒーターを用いた電気ヒーターの平面図
【符号の説明】
１…表面板、
７…均熱板、
８…電気ヒーター、
１１…断熱板、
１７…温度調節器、
２０…切り替えスイッチ
【図１】
2004183936.tif 000003
【図２】
2004183936.tif 000004
【図３】
2004183936.tif 000005
【図４】
2004183936.tif 000006
【図５】
2004183936.tif 000007
【図６】
2004183936.tif 000008
【図７】
2004183936.tif 000009
【図８】
2004183936.tif 000010
【図９】
2004183936.tif 000011
【図１０】
2004183936.tif 000012